(57)【要約】【課題】  第１の部材と第２の部材とが不均一な力で押え付けられても、その両者の密閉性を確保することができる電子機器の密閉構造を提供する。【解決手段】  下部ケース３における電池用開口部１４の周縁部にクッション性を有する枠状の軟質部材１６を設けると共に、電池蓋１５の周縁部に、軟質部材１６よりも硬質の材料からなり、且つ軟質部材１６に食い込み可能に当接する枠状のパッキン１７を設けた。従って、下部ケース３の電池用開口部１４に電池蓋１５を接合する際に、クッション性を有する軟質部材１６にパッキン１７が食い込むように当接させることができる。このため、下部ケース３の電池用開口部１４に対して電池蓋１５が不均一な力で押え付けられても、その不均一な力に応じて軟質部材１６に対するパッキン１７の食い込み量を変化させて、下部ケース３の電池用開口部１４と電池蓋１５との両者を密閉することができる。【選択図】        図９
2011061361.tif 000002
【特許請求の範囲】
【請求項１】
第１の部材と第２の部材とを密閉状態で接合する電子機器の密閉構造であって、
前記第１の部材と前記第２の部材とが枠状に接合する接合部分における一方の部材に設けられたクッション性を有する枠状の軟質部材と、
前記接合部分における他方の部材に設けられ、且つ前記軟質部材よりも硬質の材料からなり、前記第１の部材と前記第２の部材とを接合した際に前記軟質部材に食い込み可能に当接する枠状の硬質部材と、
を備えていることを特徴とする電子機器の密閉構造。
【請求項２】
前記軟質部材は、前記接合部分における前記一方の部材に設けられたクッション部材と、このクッション部材の表面に設けられて当該クッション部材と共に変形する保護フィルムとを備えていることを特徴とする請求項１に記載の電子機器の密閉構造。
【請求項３】
前記硬質部材は、前記軟質部材に食い込み可能な突起部を有するパッキン部材であることを特徴とする請求項１または請求項２に記載の電子機器の密閉構造。
【請求項４】
前記硬質部材は、前記接合部分における前記他方の部材に、前記軟質部材に食い込み可能な形状で一体に形成された枠状突起部であることを特徴とする請求項１または請求項２に記載の電子機器の密閉構造。
【請求項５】
前記接合部分における前記第１の部材と前記第２の部材とは、前記接合部分の枠状の周囲に沿って互いに対応する高低差を有する形状に形成されていることを特徴とする請求項１〜請求項４のいずれかに記載の電子機器の密閉構造。
【請求項６】
前記第１の部材は開口部を有する機器本体であり、前記第２の部材は前記機器本体に着脱可能に取り付けられる蓋体であり、前記接合部分は、前記機器本体の前記開口部の周縁部と前記蓋体の周縁部とであることを特徴とする請求項１〜請求項５のいずれかに記載の電子機器の密閉構造。
【請求項７】
前記機器本体における前記開口部内の縁部には係止部が設けられており、前記蓋体の外側部には、前記係止部に係脱可能に係止されるフック部が設けられていることを特徴とする請求項６に記載の電子機器の密閉構造。
【請求項８】
前記機器本体には、前記蓋体を前記機器本体に対し押え付けて固定するための押え部材が設けられていることを特徴とする請求項６または請求項７に記載の電子機器の密閉構造。
【請求項９】
前記第１の部材は機器本体の上部ケースであり、前記第２の部材は前記機器本体の下部ケースであり、前記接合部分は前記上部ケースの周縁部と前記下部ケースの周縁部とであることを特徴とする請求項１〜請求項５のいずれかに記載の電子機器の密閉構造。
【請求項１０】
前記第１の部材は表示用開口部を有する機器本体であり、前記第２の部材は前記機器本体内に配置されて前記表示用開口部から露出する表示パネルであり、前記接合部分は前記機器本体の前記表示用開口部の周縁部と前記表示パネルの周縁部とであることを特徴とする請求項１〜請求項５のいずれかに記載の電子機器の密閉構造。
【発明の詳細な説明】
【技術分野】
【０００１】
この発明は、携帯端末機や携帯電話機などの電子機器の密閉構造に関する。
【背景技術】
【０００２】
従来、携帯電話機などの電子機器においては、特許文献１に記載されているように、機器本体に設けられた電池収納部を電池蓋で着脱可能に塞ぐ際に、機器本体における電池蓋の周縁部に対応する箇所にパッキンを枠状に設け、電池蓋の外周部に機器本体のパッキンに当接する枠状のリブを設けた構成のものが知られている。
【先行技術文献】
【特許文献】
【０００３】
【特許文献１】特開平１１−２５９４０号公報
【０００４】
このような電子機器は、電池蓋の両端部に複数のフック部を設け、この複数のフック部を機器本体に設けられた複数の係止部に係脱可能に係止させて、電池蓋を機器本体に押え付けて取り付けることにより、電池蓋の枠状のリブを機器本体のパッキンに当接させて、電池収納部を密閉するように構成されている。
【発明の概要】
【発明が解決しようとする課題】
【０００５】
しかしながら、このような従来の電子機器における密閉構造では、電池蓋を機器本体に押え付けることにより、電池蓋の枠状のリブを機器本体のパッキンに当接させる構成であるから、機器本体に対して電池蓋の全周が均一な力で押え付けられていないと、電池蓋の枠状のリブが機器本体のパッキンに均一に当接せず、強く接触する箇所とほとんど接触しない箇所とが生じ、電池収納部を確実に密閉することができないという問題がある。
【０００６】
すなわち、この種の電子機器の密閉構造では、電池蓋の両端部に設けられた複数のフック部が機器本体に設けられた複数の係止部に係止された際に、電池蓋の両端部は機器本体に強く押し付けられるが、電池蓋の中間部は押し付け力が弱く、浮き上がる可能性があるため、電池蓋の中間部では枠状のリブが機器本体のパッキンに確実に接触せず、その両者の間に隙間が生じることがある。
【０００７】
この発明が解決しようとする課題は、第１の部材と第２の部材とが不均一な力で押え付けられても、その両者の密閉性を確保することができる電子機器の密閉構造を提供することである。
【課題を解決するための手段】
【０００８】
この発明は、上記課題を解決するために、次のような構成要素を備えている。
請求項１に記載の発明は、第１の部材と第２の部材とを密閉状態で接合する電子機器の密閉構造であって、前記第１の部材と前記第２の部材とが枠状に接合する接合部分における一方の部材に設けられたクッション性を有する枠状の軟質部材と、前記接合部分における他方の部材に設けられ、且つ前記軟質部材よりも硬質の材料からなり、前記第１の部材と前記第２の部材とを接合した際に前記軟質部材に食い込み可能に当接する枠状の硬質部材と、を備えていることを特徴とする電子機器の密閉構造である。
【０００９】
請求項２に記載の発明は、前記軟質部材が、前記接合部分における前記一方の部材に設けられたクッション部材と、このクッション部材の表面に設けられて当該クッション部材と共に変形する保護フィルムとを備えていることを特徴とする請求項１に記載の電子機器の密閉構造である。
【００１０】
請求項３に記載の発明は、前記硬質部材が、前記軟質部材に食い込み可能な突起部を有するパッキン部材であることを特徴とする請求項１または請求項２に記載の電子機器の密閉構造である。
【００１１】
請求項３に記載の発明は、前記硬質部材が、前記接合部分における前記他方の部材に、前記軟質部材に食い込み可能な形状で一体に形成された枠状突起部であることを特徴とする請求項１または請求項２に記載の電子機器の密閉構造である。
【００１２】
請求項５に記載の発明は、前記接合部分における前記第１の部材と前記第２の部材とが、前記接合部分の枠状の周囲に沿って互いに対応する高低差を有する形状に形成されていることを特徴とする請求項１〜請求項４のいずれかに記載の電子機器の密閉構造である。
【００１３】
請求項６に記載の発明は、前記第１の部材が開口部を有する機器本体であり、前記第２の部材は前記機器本体に着脱可能に取り付けられる蓋体であり、前記接合部分は、前記機器本体の前記開口部の周縁部と前記蓋体の周縁部とであることを特徴とする請求項１〜請求項５のいずれかに記載の電子機器の密閉構造である。
【００１４】
請求項７に記載の発明は、前記機器本体における前記開口部内の縁部に、係止部が設けられており、前記蓋体の外側部には、前記係止部に係脱可能に係止されるフック部が設けられていることを特徴とする請求項６に記載の電子機器の密閉構造である。
【００１５】
請求項８に記載の発明は、前記機器本体に、前記蓋体を前記機器本体に対し押え付けて固定するための押え部材が設けられていることを特徴とする請求項６または請求項７に記載の電子機器の密閉構造である。
【００１６】
請求項９に記載の発明は、前記第１の部材が機器本体の上部ケースであり、前記第２の部材は前記機器本体の下部ケースであり、前記接合部分は前記上部ケースの周縁部と前記下部ケースの周縁部とであることを特徴とする請求項１〜請求項５のいずれかに記載の電子機器の密閉構造である。
【００１７】
請求項１０に記載の発明は、前記第１の部材が表示用開口部を有する機器本体であり、前記第２の部材は前記機器本体内に配置されて前記表示用開口部から露出する表示パネルであり、前記接合部分は前記機器本体の前記表示用開口部の周縁部と前記表示パネルの周縁部とであることを特徴とする請求項１〜請求項５のいずれかに記載の電子機器の密閉構造である。
【発明の効果】
【００１８】
この発明によれば、第１の部材と第２の部材とを接合する際に、その両者の接合部分における一方の部材に設けられたクッション性を有する軟質部材に、接合部分における他方の部材に設けられた硬質部材が食い込むように当接するので、第１の部材と第２の部材とが不均一な力で押え付けられても、その不均一な力に応じて軟質部材に対する硬質部材の食い込み量を変化させることができる。このため、第１の部材と第２の部材とが不均一な力で押え付けられても、軟質部材と硬質部材との間に隙間が生じることがなく、軟質部材と硬質部材とを確実に密接させることができるので、第１の部材と第２の部材との両者の密閉性を確保することができる。
【図面の簡単な説明】
【００１９】
【図１】この発明を適用した携帯端末機の実施形態１を示した斜視図である。
【図２】図１の携帯端末機を裏面側から見た斜視図である。
【図３】図１の携帯端末機を示した分解斜視図である。
【図４】図１のＡ−Ａ矢視における断面を示した斜視図である。
【図５】図２の携帯端末機において電池蓋を取り外した状態を示した要部の拡大斜視図である。
【図６】図２の電池蓋を表裏反転させて示した拡大斜視図である。
【図７】図５の携帯端末機における電池用開口部の箇所を示した拡大裏面図である。
【図８】図６の電池蓋を示した拡大平面図である。
【図９】図１のＢ−Ｂ矢視における拡大断面図である。
【図１０】図９におけるＡ部を更に拡大して示した断面図である。
【図１１】図１０の要部の断面を示した拡大斜視図である。
【図１２】図１のＣ−Ｃ矢視において下部ケースに電池蓋を押し付ける前の状態を示した拡大断面図である。
【図１３】図１２のＢ部を更に拡大して示した断面図である。
【図１４】図１２の状態で下部ケースに電池蓋を押し付けた状態を示した拡大断面図である。
【図１５】図１４のＣ部を更に拡大して示した断面図である。
【図１６】図５における下部ケースに電池蓋を取り付ける状態を示した斜視図である。
【図１７】図１６における押え部材を分解して示した斜視図である。
【図１８】図１６において押え部材によって電池蓋をロックする前の状態を示した要部の裏面図である。
【図１９】図１８において押え部材によって電池蓋をロックした状態を示した要部の裏面図である。
【図２０】この発明を適用した携帯端末機の実施形態２において電池蓋を下部ケースに取り付けた状態における要部を断面で示した拡大斜視図である。
【図２１】この発明を適用した携帯端末機の実施形態３を示した斜視図である。
【図２２】図２１のＤ−Ｄ矢視における断面を示した斜視図である。
【図２３】図２２のＤ部における断面を示した拡大斜視図である。
【図２４】この発明を適用した携帯端末機の実施形態４において入力表示パネルの箇所を断面で示した斜視図である。
【図２５】図２４のＥ部における断面を拡大して示した斜視図である。
【発明を実施するための形態】
【００２０】
（実施形態１）
以下、図１〜図１９を参照して、この発明を携帯端末機に適用した実施形態１について説明する。
この携帯端末機は、ＰＤＡ（パーソナル・デジタル・アシスタント）であり、図１〜図３に示すように、機器本体１を備えている。この機器本体１は、上部ケース２と下部ケース３とで構成されている。この機器本体１の内部には、図３に示すように、モジュール４および電池５が組み込まれている。
【００２１】
モジュール４は、図３および図４に示すように、インナーケース６に入力表示パネル７および回路基板８を組み付けたものであり、機器本体１内に組み込まれるように構成されている。入力表示パネル７は、透明なタッチパネル７ａと表示パネル７ｂとを重ね合わせた構成になっている。この場合、透明なタッチパネル７ａは、その表面をタッチペン（図示せず）などでタッチ操作することにより、そのタッチ操作に応じた情報を入力するように構成されている。
【００２２】
表示パネル７ｂは、液晶表示パネルやＥＬ（エレクトロルミネッセンス）表示パネルなどの平面型の表示パネルからなり、電気光学的に情報を表示するように構成されている。これにより、入力表示パネル７は、透明なタッチパネル７ａを通して表示パネル７ｂに表示された情報を見ながらタッチパネル７ａをタッチ操作することにより、情報を入力するように構成されている。また、回路基板８は、図３および図４に示すように、携帯端末機に必要な各種の電子部品（図示せず）が搭載され、機器全体を電気的にコントロールして駆動するように構成されている。
【００２３】
ところで、上部ケース２は、ＡＢＳ樹脂、ポリカーボネート、またはこれらの混合樹脂などの合成樹脂からなり、図３に示すように、下側に開放されたほぼ長方形の箱状に形成されている。この上部ケース２の上面には、図１および図３に示すように、表示用開口部９およびキー入力部１０が並んだ状態で設けられており、この上部ケース２の右側に位置する側面には、コネクタ部１１が設けられている。
【００２４】
表示用開口部９は、図１および図３に示すように、モジュール４の入力表示パネル７が対応して外部に露出する部分であり、上部ケース２における左側半分よりも少し広い範囲に設けられている。この場合、入力表示パネル７は、その周縁部における上面が上部ケース２の表示用開口部９における周縁部の内面に両面接着テープ（図示せず）によって接着されている。これにより、入力表示パネル７は、表示表開口部９を通して上部ケース２の上側に露出し、この状態で入力操作ができると共に表示された情報が見えるように構成されている。
【００２５】
キー入力部１０は、図１および図３に示すように、テンキー、カーソルキー、決定キーなどの携帯端末機に必要な各種のキー１０ａを備え、上部ケース２の右側半分よりも少し狭い範囲に設けられている。この場合、キー入力部１０の各キー１０ａは、図４に示すように、上部ケース２の内面に設けられたスイッチ基板１０ｂ上に配置され、この状態で上部ケース２の上方に出没可能に突出して設けられている。コネクタ部１１は、外部機器（図示せず）と電気的に接続するためのものであり、複数の接続電極１１ａを備えている。この複数の接続電極１１ａは、上部ケース２の側面から外部に露出して設けられている。
【００２６】
また、下部ケース３は、上部ケース２と同様、ＡＢＳ樹脂、ポリカーボネート、またはこれらの混合樹脂などの合成樹脂からなり、図２〜図４に示すように、上側に開放されたほぼ長方形の箱状に形成されている。この下部ケース３は、上部ケース２の下側に対応して配置されて上部ケース２が接合されるように構成されている。この場合、下部ケース３の外周部における上端部には、図９に示すように、枠状の嵌合リブ１２が下部ケース３の周囲に沿って枠状に連続した状態で設けられている。
【００２７】
また、上部ケース２の外周部における下端部には、図９に示すように、下部ケース３の嵌合リブ１２が下側から嵌着する装着溝１３が上部ケース２の周囲に沿って枠状に連続した状態で設けられている。これにより、機器本体１は、上部ケース２を下部ケース３に重ね合わせて接合する際に、図９に示すように、上部ケース２の装着溝１３内にクッション材１３ａを配置し、この状態で上部ケース２の装着溝１３内に下部ケース３の嵌合リブ１２を嵌め込むことにより、上部ケース２と下部ケース３とが接合されて密閉されるように構成されている。
【００２８】
また、この下部ケース３の下面における右側に位置する箇所には、図３に示すように、電池５が挿脱可能に挿入する電池用開口部１４が上部ケース２のキー入力部７の下方に対応して設けられている。この電池用開口部１４には、図４に示すように、電池蓋１５が着脱可能に取り付けられている。この下部ケース３と電池蓋１５との接合部分には、図５〜図１１に示すように、それぞれクッション性を有する軟質部材１６と、この軟質部材１６に食い込み可能なパッキン１７とが設けられている。
【００２９】
すなわち、下部ケース３における電池用開口部１４の周縁部には、図５および図７に示すように、軟質部材１６が電池用開口部１４の周囲に沿って枠状に連続した状態で設けられている。また、電池蓋１５の内面における周縁部には、図６および図８に示すように、パッキン１７が電池蓋１５の外周に沿って枠状に連続した状態で設けられている。
【００３０】
この場合、軟質部材１６は、図１０および図１１に示すように、下部ケース３における電池用開口部１４の周縁部に接着によって設けられたシート状のクッション材１６ａと、このクッション材１６ａの表面に設けられてクッション材１６ａと共に変形する保護フィルム１６ｂとを備えた２層構造になっている。クッション材１６ａは、発泡ウレタンなどのクッション性の高い合成樹脂で形成されている。保護フィルム１６ｂは、ポリエチレンテレフタレート（ＰＥＴ）などの摩擦抵抗が低く潤滑性の高い合成樹脂からなり、その厚みがクッション材１６ａよりも十分に薄く形成されている。
【００３１】
パッキン１７は、軟質部材１６よりも硬質のゴムまたはエラストマなどの合成樹脂からなり、図１１に示すように、軟質部材１６に食い込み易い形状に形成されている。すなわち、このパッキン１７は、軟質部材１６と同じ幅の大きさで電池蓋１５の内面に接着される固定部１７ａと、この固定部１７ａに一体に形成された突起部１７ｂとからなっている。この突起部１７ｂは、図１０および図１１に示すように、その先端部（図１０では上端部）が先細形状、例えば先端面が円弧面をなす山形形状に形成され、これにより軟質部材１６に食い込み易くなるように構成されている。
【００３２】
この場合、下部ケース３における電池用開口部１４の周縁部は、図５、図１２および図１４に示すように、電池用開口部１４の一端部側（図１２では左端部側）に位置する部分が低く、その他端部側（図１２では右端部側）に位置する部分が高くなる高低差を有する形状に形成されている。すなわち、下部ケース３における電池用開口部１４の周縁部は、図１２および図１４に示すように、その左側部分から右側に向けて少し急な角度で上側に傾斜する第１傾斜部１４ａが形成されていると共に、この第１傾斜部１４ａから右側に向けて更に上側に緩やかに傾斜する第２傾斜部１４ｂが形成された構成になっている。
【００３３】
これに伴って、電池蓋１５の内面における周縁部は、図１２および図１４に示すように、電池蓋１５の一端部側（図１２では左端部側）に位置する部分が低く、その他端部側（図１２では右端部側）に位置する部分が高くなる高低差を有する形状に形成されている。この場合にも、電池蓋１５の内面における周縁部は、下部ケース３における電池用開口部１４の周縁部と同様、その左側部分から右側に向けて少し急な角度で上側に傾斜する第１傾斜部１５ａが形成されていると共に、この第１傾斜部１５ａから右側に向けて更に上側に緩やかに傾斜する第２傾斜部１５ｂが形成され、下部ケース３における電池用開口部１４の周縁部に対して密接するように構成されている。
【００３４】
これにより、電池蓋１５と下部ケース３の電池用開口部１４とは、図９〜図１１に示すように、下部ケース３の電池用開口部１４に電池蓋１５が取り付けられると、図１４および図１５に示すように、電池蓋１５に設けられたパッキン１７の突起部１７ｂが下部ケース３における電池用開口部１４の周縁部に設けられた軟質部材１６に食い込んだ状態で当接するように構成されている。すなわち、パッキン１７の突起部１７ｂは、図１０および図１１に示すように、軟質部材１６の保護フィルム１６ｂに当接して保護フィルム１６ｂを押圧すると、軟質部材１６のクッション材１６ａを変形させて、保護フィルム１６ｂと共にクッション材１６ａに食い込むように構成されている。
【００３５】
この場合、下部ケース３の電池用開口部１４に対して電池蓋１５がその周縁部の方向（図１２〜図１５の矢印Ｘ方向）に少し位置ずれして配置された際に、下部ケース３における電池用開口部１４の周縁部と電池蓋１５の周縁部とは、図１２および図１４に示したように、その周囲（図１２〜図１５の矢印Ｘ方向）に沿って互いに対応する高低差を有する形状に形成されていても、軟質部材１６のクッション材１６ａに対するパッキン１７の突起部１７ｂの食い込み量が変化することにより、パッキン１７の突起部１７ｂが軟質部材１６に確実に密接するように構成されている。
【００３６】
ところで、下部ケース３の電池用開口部１４内における一端部（図１６では上辺部）には、図７に示すように、電池蓋１５を係脱可能に係止する係止部１８が電池用開口部１４の内部に向けて突出して設けられている。また、電池蓋１５の一端部（図８では下辺部）の外側面には、図８および図１６に示すように、電池用開口部１４の係止部１８に係脱可能に係止されるフック部１９が電池蓋１５の外側に向けて突出して設けられている。
【００３７】
これにより、電池蓋１５は、図１６に示すように、フック部１９側の一端部を下部ケース３の電池用開口部１４内に下側から挿入させて、フック部１９を電池用開口部１４の内部における一端部に設けられた係止部１８の上側に位置させて挿入することにより、フック部１９が電池用開口部１４の係止部１８に係止されるように構成されている。
【００３８】
また、下部ケース３の電池用開口部１４の外部に位置する他端の両側（図１８では上辺部の両側）には、図１６〜図１９に示すように、電池蓋１５を電池用開口部１４に押し付けて取り付けるための押え部材２０が取り付けられている。この押え部材２０は、電池蓋１５を押えるためのレバー部２１と、このレバー部２１を下部ケース３に回転可能に取り付ける取付軸２２と、レバー部２１と共に回転するアーム板２３と、このアーム板２３の回転位置を規制する位置規制板２４と、ワッシャ２５とを備えている。
【００３９】
この場合、レバー部２１には、電池蓋１５を電池用開口部１４に押え付けるための押さえ突起部２１ａが一体に形成されている。また、この押え部材２０に対応する電池蓋１５の端部における両側は、図１６に示すように、押え部材２０の押え突起部２１ａが係脱可能に係合する係合凹部２６が設けられている。これにより、押え部材２０は、図１８および図１９に示すように、電池蓋１５が電池用開口部１４を塞いで配置された際に、レバー部２１を回転させてレバー部２１の押え突起部２１ａを電池蓋１５の係合凹部２６に係合させることにより、電池蓋１５を電池用開口部１４に押し付けて固定するように構成されている。
【００４０】
次に、この携帯端末機を組み立てる場合について説明する。
この場合には、まず、モジュール４を組み立てる。このときには、回路基板８に各種の電子部品を組み付け、この回路基板８に入力表示パネル７を電気的に接続する。そして、この回路基板８と入力表示パネル７とをインナーケース６に取り付ける。これにより、モジュール４が構成される。
【００４１】
このモジュール４を上部ケース２内に組み付ける。このときには、上部ケース２内の下側からモジュール４を挿入して、入力表示パネル７を上部ケース２の表示用開口部９に対応させる。この状態で、入力表示パネル７の周縁部を上部ケース２の表示用開口部９の周縁部に両面接着テープ（図示せず）によって接着する。これにより、入力表示パネル７と上部ケース２の表示用開口部９とが密閉され、この密閉した状態で入力表示パネル７が上部ケース２の表示用開口部９を通して露出する。
【００４２】
そして、上部ケース２と下部ケース３とを接合して機器本体１を組み立てる。このときには、上部ケース２の周縁部に沿って枠状に連続した状態で設けられた装着溝１３内にクッション材１３ａを配置し、このクッション材１３ａが配置された装着溝１３内に下部ケース３の周縁部に沿って枠状に連続した状態で設けられた嵌合リブ１２を挿入させて嵌め込む。これにより、上部ケース２と下部ケース３とが密閉された状態で接合され、機器本体１が構成される。
【００４３】
この後、下部ケース３の電池用開口部１４から電池５を組み込み、この電池用開口部１４に電池蓋１５を取り付ける。このときには、図１６に示すように、電池蓋１５のフック部１９側に位置する一端部を下部ケース３の電池用開口部１４内に下側から挿入させて、電池蓋１５のフック部１９を電池用開口部１４の内部における一端部に設けられた係止部１８の上側に位置させて挿入することにより、電池蓋１５のフック部１９が電池用開口部１４の係止部１８に係止される。
【００４４】
この状態で、電池蓋１５を電池用開口部１４に押し付けて、押え部材２０によって電池蓋１５を固定する。このときには、押え部材２０のレバー部２１を回転させて、レバー部２１の押え突起部２１ａを電池蓋１５の係合凹部２６に係合させる。これにより、電池蓋１５が電池用開口部１４に押し付けられた状態で下部ケース３に対して固定される。
【００４５】
この場合、電池蓋１５のフック部１９が電池用開口部１４の係止部１８に係止された状態で、電池蓋１５が電池用開口部１４に押し付けられる際に、電池蓋１５のフック部１９が電池用開口部１４の周縁部に設けられた軟質部材１６を押圧しながらこすれるが、電池蓋１５のフック部１９は軟質部材１６のクッション材１６ａを変形させながら保護フィルム１６ｂ上を円滑に摺動する。
【００４６】
また、電池蓋１５が電池用開口部１４に押し付けられた状態で、下部ケース３に対して固定された際には、電池蓋１５に設けられたパッキン１７の突起部１７ｂが下部ケース３における電池用開口部１４の周縁部に設けられた軟質部材１６に食い込んだ状態で当接する。すなわち、パッキン１７の突起部１７ｂは、軟質部材１６の保護フィルム１６ｂに当接して保護フィルム１６ｂを押圧し、軟質部材１６のクッション材１６ａを変形させて、保護フィルム１６ｂと共にクッション材１６ａに食い込む。これにより、下部ケース３の電池用開口部１４と電池蓋１５との接合部分が密閉される。
【００４７】
この場合、下部ケース３における電池用開口部１４の周縁部と電池蓋１５の周縁部とが、その周囲（図１２〜図１５の矢印Ｘ方向）に沿って互いに対応する高低差を有する形状に形成されていても、その形状に応じて軟質部材１６に対するパッキン１７の突起部１７ｂの食い込み量が変化する。このとき、電池蓋１５が電池用開口部１４に対してその周囲に沿う方向（図１２〜図１５の矢印Ｘ方向）に少し位置ずれを起こしても、その位置ずれに応じても、軟質部材１６に対するパッキン１７の突起部１７ｂの食い込み量が変化する。
【００４８】
このため、電池用開口部１４の周縁部と電池蓋１５の周縁部とが、その周囲（図１２〜図１５の矢印Ｘ方向）に沿って互いに対応する高低差を有する形状で、且つ電池用開口部１４に対して電池蓋１５がその周囲に沿う方向（図１２〜図１５の矢印Ｘ方向）に位置ずれしても、パッキン１７の突起部１７ｂと軟質部材１６との間に隙間が生じることなく、パッキン１７の突起部１７ｂが軟質部材１６に確実に当接する。これにより、下部ケース３の電池用開口部１４と電池蓋１５との接合部分が密閉される。
【００４９】
このように、この携帯端末機によれば、下部ケース３における電池用開口部１４の周縁部とこの電池用開口部１４を塞ぐ電池蓋１５とが接合する接合部分において、下部ケース３における電池用開口部１４の周縁部にクッション性を有する枠状の軟質部材１６を設けると共に、この接合部分における電池蓋１５の周縁部に、軟質部材１６よりも硬質の材料からなり、且つ軟質部材１６に食い込み可能に当接する枠状のパッキン１７を設けたので、下部ケース３の電池用開口部１４と電池蓋１５との両者の密閉性を確保することができる。
【００５０】
すなわち、この携帯端末機では、下部ケース３の電池用開口部１４に電池蓋１５を接合する際に、その両者の接合部分における下部ケース３の電池用開口部１４の周縁部に設けられたクッション性を有する軟質部材１６に、接合部分における電池蓋１５の周縁部に設けられたパッキン１７が食い込むように当接するので、下部ケース３の電池用開口部１４と電池蓋１５との両者を密閉することができ、これにより水滴の侵入や塵埃の侵入を防ぐことができるので、防滴性および防塵性を確保することができる。
【００５１】
この場合、下部ケース３の電池用開口部１４に対して電池蓋１５が不均一な力で押え付けられても、その不均一な力に応じて軟質部材１６に対するパッキン１７の食い込み量を変化させることができる。このため、下部ケース３の電池用開口部１４に対して電池蓋１５が不均一な力で押え付けられても、軟質部材１６にパッキン１７を食い込ませて下部ケース３の電池用開口部１４と電池蓋１５との両者の密閉性を確保することができる。
【００５２】
また、軟質部材１６は、下部ケース３における電池用開口部１４の周縁部に設けられたクッション材１６ａと、このクッション材１６ａの表面に設けられてクッション材１６ａと共に変形する保護フィルム１６ｂとを備えた構成であるから、軟質部材１６にパッキン１７が押し当てられると、このパッキン１７によって軟質部材１６のクッション材１６ａが保護フィルム１６ｂと共に変形し、パッキン１７を軟質部材１６に確実に食い込ませることができる。
【００５３】
この場合、クッション材１６ａは、発泡ウレタンなどのクッション性の高い合成樹脂で形成されており、保護フィルム１６ｂは、ポリエチレンテレフタレートなどの摩擦抵抗が低く潤滑性の高い合成樹脂からなり、その厚みがクッション材１６ａよりも十分に薄く形成されているので、軟質部材１６にパッキン１７が押し当てられると、そのパッキン１７によってクッション材１６ａを保護フィルム１６ｂと共に確実に変形させることができ、これによりパッキン１７を軟質部材１６に確実に且つ良好に食い込ませることができる。このときには、パッキン１７の突起部１７ｂが軟質部材１６に強く押し当てられても、保護フィルム１６ｂによってクッション材１６ａが破損するのを防ぐことができる。
【００５４】
また、電池蓋１５のフック部１９が電池用開口部１４の係止部１８に係止された状態で、電池蓋１５が電池用開口部１４に押し付けられる際に、電池蓋１５のフック部１９が電池用開口部１４の周縁部に設けられた軟質部材１６を押圧しながらこすれるが、このときには、電池蓋１５のフック部１９が軟質部材１６のクッション材１６ａを変形させても、フック部１９を保護フィルム１６ｂによって円滑に摺動させることができる。このため、電池用開口部１４に対する電池蓋１５の着脱時に、電池蓋１５のフック部１９によってクッション材１６ａが破損するのを保護フィルム１６ｂによって防ぐことができる。
【００５５】
さらに、パッキン１７は、軟質部材１６よりも硬質のゴムまたはエラストマなどの合成樹脂からなり、電池蓋１５の内面に接着される固定部１７ａと、この固定部１７ａに一体に形成された突起部１７ｂとを備え、この突起部１７ｂが先細形状、例えば先端面が円弧面をなす山形形状に形成されているので、パッキン１７の突起部１７ｂが軟質部材１６に押し当てられると、その突起部１７ｂによってクッション材１６ａを保護フィルム１６ｂと共に良好に変形させることができ、これにより突起部１７ｂを軟質部材１６に確実に且つ良好に食い込ませることができる。このときに、パッキン１７の突起部１７ｂが軟質部材１６に強く押し当てられても、突起部１７ｂが山形形状で、且つその先端面が円弧状に形成されているので、軟質部材１６を破損することなく良好に変形させることができる。
【００５６】
また、下部ケース３の電池用開口部１４の周縁部と電池蓋１５の周縁部とは、その接合部分の枠状の周囲（図１２〜図１５の矢印Ｘ方向）に沿って互いに対応する高低差を有する形状に形成されていても、下部ケース３の電池用開口部１４に電池蓋１５を取り付ける際に、その形状に応じて軟質部材１６に対するパッキン１７の突起部１７ｂの食い込み量が変化することにより、パッキン１７の突起部１７ｂと軟質部材１６との間に隙間が生じることなく、パッキン１７の突起部１７ｂと軟質部材１６と確実に当接させることができる。
【００５７】
この場合、電池蓋１５が電池用開口部１４に対してその周囲に沿う方向（図１２〜図１５の矢印Ｘ方向）に少し位置ずれを起こしても、その位置ずれに応じても、軟質部材１６に対するパッキン１７の突起部１７ｂの食い込み量が変化することにより、パッキン１７の突起部１７ｂと軟質部材１６との間に隙間が生じることなく、パッキン１７の突起部１７ｂと軟質部材１６と確実に当接させることができる。
【００５８】
このため、電池用開口部１４の周縁部と電池蓋１５の周縁部とが、その周囲（図１２〜図１５の矢印Ｘ方向）に沿って互いに対応する高低差を有する形状で、且つ電池用開口部１４に対してその周囲に沿う方向（図１２〜図１５の矢印Ｘ方向）に電池蓋１５が位置ずれしても、パッキン１７の突起部１７ｂと軟質部材１６との間に隙間が生じることなく、パッキン１７の突起部１７ｂと軟質部材１６とを確実に当接させることができるので、下部ケース３の電池用開口部１４と電池蓋１５との接合部分を確実に且つ良好に密閉することができる。
【００５９】
また、この携帯端末機によれば、下部ケース３の電池用開口部１４内における一端部の縁部に係止部１８が設けられており、電池蓋１５の一端部における外側部に係止部１８に係脱可能に係止されるフック部１９が設けられているので、電池蓋１５のフック部１９側の一端部を下部ケース３の電池用開口部１４内に下側から挿入させて、フック部１９を電池用開口部１４の内部における一端部に設けられた係止部１８の上側に位置させて挿入することにより、フック部１９を電池用開口部１４の係止部１８に係止させることがで、これにより電池蓋１５を下部ケース３の電池用開口部１４に取り付けることができる。
【００６０】
この場合、下部ケース３には、電池蓋１５を下部ケース３の電池用開口部１４の周縁部に対し押え付けて固定するための押え部材２０が設けられているので、電池蓋１５が電池用開口部１４を塞いで配置された際に、押え部材２０によって電池蓋１５を電池用開口部１４に押し付けて確実に固定することができる。すなわち、押え部材２０は、下部ケース３に回転可能に取り付けられたレバー部２１を備え、このレバー部２１に押え突起部２１ａが設けられているので、電池蓋１５が電池用開口部１４を塞いで配置された際に、レバー部２１を回転させてレバー部２１の押え突起部２１ａを電池蓋１５の係合凹部２６に係合させることにより、電池蓋１５を電池用開口部１４に押し付けて確実に固定することができる。
【００６１】
（実施形態２）
次に、図２０を参照して、この発明を携帯端末機に適用した実施形態２について説明する。なお、図１〜図１９に示された実施形態１と同一部分には同一符号を付して説明する。
この携帯端末機は、図２０に示すように、電池蓋１５の周縁部にクッション性を有する軟質部材１６を設け、下部ケース３の電池用開口部１４の周縁部に軟質部材１６よりも硬質の枠状突起部２８を設けた構成であり、これ以外は実施形態１と同じ構成になっている。
【００６２】
この場合にも、軟質部材１６は、実施形態１と同様、電池蓋１５の周縁部に接着によって設けられたシート状のクッション材１６ａと、このクッション材１６ａの表面に設けられてクッション材１６ａと共に変形する保護フィルム１６ｂとを備えた２層構造になっている。クッション材１６ａは、発泡ウレタンなどのクッション性の高い合成樹脂で形成されている。保護フィルム１６ｂは、ポリエチレンテレフタレート（ＰＥＴ）などの摩擦抵抗が低く潤滑性の高い合成樹脂からなり、その厚みがクッション材１６ａよりも十分に薄く形成されている。
【００６３】
一方、枠状突起部２８は、図２０に示すように、下部ケース３の電池用開口部１４の周縁部に下部ケース３と同じ材料で一体に形成されている。すなわち、この枠状突起部２８は、軟質部材１６よりも十分に硬い硬質の材料、つまり下部ケース３と同じＡＢＳ樹脂、ポリカーボネート、またはこれらの混合樹脂などの合成樹脂で形成されている。また、この枠状突起部２８は、図２０に示すように、下部ケース３の電池用開口部１４の周縁部に沿って枠状に連続した状態で一体に形成されている。
【００６４】
この場合、枠状突起部２８は、軟質部材１６に食い込み易い形状に形成されている。すなわち、この枠状突起部２８は、先端部（図２０では上端部）が先細形状で、且つその先端面が円弧面２８ａに形成され、この円弧面２８ａが軟質部材１６に傷を付けずに食い込むように構成されている。また、この枠状突起部２８は、その枠状の周囲に沿う方向に対して直交する方向の幅が、軟質部材１６の周囲に沿う方向に対して直交する方向の幅よりも十分に狭く形成されている。
【００６５】
このような携帯端末機によれば、下部ケース３における電池用開口部１４の周縁部とこの電池用開口部１４を塞ぐ電池蓋１５とが接合する接合部分において、電池蓋１５の周縁部にクッション性を有する枠状の軟質部材１６を設けると共に、この接合部分における下部ケース３における電池用開口部１４の周縁部に、軟質部材１６よりも硬質の材料からなり、且つ軟質部材１６に食い込み可能に当接する枠状突起部２８を一体に形成したので、実施形態１と同様、下部ケース３の電池用開口部１４と電池蓋１５との両者の密閉性を確保することができる。
【００６６】
すなわち、この携帯端末機においても、下部ケース３の電池用開口部１４に電池蓋１５を接合する際に、その両者の接合部分における電池蓋１５の周縁部に設けられたクッション性を有する軟質部材１６に、接合部分における下部ケース３の電池用開口部１４の周縁部に一体に形成された枠状突起部２８が食い込むように当接するので、実施形態１と同様、下部ケース３の電池用開口部１４と電池蓋１５との両者を密閉することができ、これにより水滴の侵入や塵埃の侵入を防ぐことができるので、防滴性および防塵性を確保することができる。
【００６７】
この場合にも、下部ケース３の電池用開口部１４に対して電池蓋１５が不均一な力で押え付けられても、その不均一な力に応じて軟質部材１６に対する枠状突起部２８の食い込み量を変化させることができる。このため、下部ケース３の電池用開口部１４に対して電池蓋１５が不均一な力で押え付けられても、軟質部材１６に枠状突起部２８を食い込ませて下部ケース３の電池用開口部１４と電池蓋１５との両者の密閉性を確保することができる。
【００６８】
また、軟質部材１６は、下部ケース３における電池用開口部１４の周縁部に設けられたクッション材１６ａと、このクッション材１６ａの表面に設けられてクッション材１６ａと共に変形する保護フィルム１６ｂとを備えた構成であるから、軟質部材１６に枠状突起部２８が押し当てられると、この枠状突起部２８によって軟質部材１６のクッション材１６ａが保護フィルム１６ｂと共に変形し、枠状突起部２８を軟質部材１６に食い込ませることができる。このときにも、枠状突起部２８が軟質部材１６に強く押し当てられても、保護フィルム１６ｂによってクッション材１６ａが破損するのを防ぐことができる。
【００６９】
さらに、枠状突起部２８は、先端部（図２０では上端部）が先細形状で、且つその先端面が円弧面２８ａに形成されているので、枠状突起部２８が軟質部材１６に押し当てられると、その枠状突起部２８がクッション材１６ａを保護フィルム１６ｂと共に変形させることができ、これにより枠状突起部２８を軟質部材１６に確実に且つ良好に食い込ませることができる。このときに、枠状突起部２８が軟質部材１６に強く押し当てられても、枠状突起部２８の先端面が円弧面２８ａに形成されているので、軟質部材１６を破損することなく変形させることができる。
【００７０】
この場合、枠状突起部２８は下部ケース３の電池用開口部１４の周縁部に一体に形成されているので、実施形態１に比べて、部品点数を削減することができ、これにより組み立て作業性の向上を図ることができると共に、構造の簡素化を図ることができ、生産性の高いものを提供することができる。また、この枠状突起部２８は、その枠状の周囲に沿う方向に対して直交する方向の幅が、軟質部材１６の周囲に沿う方向に対して直交する方向の幅よりも十分に狭く形成されているので、枠状突起部２８がその周囲に沿う方向に対して直交する方向に少し位置ずれしても、枠状突起部２８を軟質部材１６に確実に当接させて食い込ませることができる。
【００７１】
（実施形態３）
次に、図２１〜図２３を参照して、この発明を携帯端末機に適用した実施形態３について説明する。この場合にも、図１〜図１９に示された実施形態１と同一部分に同一符号を付して説明する。
この携帯端末機は、図２３に示すように、機器本体１の上部ケース２と下部ケース３との接合部分に、クッション性を有する軟質部材１６と、この軟質部材１６よりも硬質の枠状突起部３０とを設けた構成であり、これ以外は実施形態１とほぼ同じ構成になっている。
【００７２】
すなわち、上部ケース２の周縁部には、図２２および図２３に示すように、下部ケース３の周縁部に対応する接合部３１が設けられており、下部ケース３の周縁部には、上部ケース２の周縁部の接合部３１に対応する接合部３２が設けられている。軟質部材１６は、上部ケース２の接合部３１に設けられており、枠状突起部３０は、下部ケース３の接合部３２に軟質部材１６と対応して設けられている。
【００７３】
この場合にも、軟質部材１６は、実施形態１と同様、上部ケース２の接合部３１に接着によって設けられたシート状のクッション材１６ａと、このクッション材１６ａの表面に設けられてクッション材１６ａと共に変形する保護フィルム１６ｂとを備えた２層構造になっている。クッション材１６ａは、発泡ウレタンなどのクッション性の高い合成樹脂で形成されている。保護フィルム１６ｂは、ポリエチレンテレフタレート（ＰＥＴ）などの摩擦抵抗が低く潤滑性の高い合成樹脂からなり、その厚みがクッション材１６ａよりも十分に薄く形成されている。
【００７４】
また、枠状突起部３０は、図２３に示すように、下部ケース３の接合部３２に下部ケース３と同じ材料で一体に形成されている。すなわち、この枠状突起部３０は、軟質部材１６よりも十分に硬い硬質の材料、つまり下部ケース３と同じＡＢＳ樹脂、ポリカーボネート、またはこれらの混合樹脂などの合成樹脂で形成されている。また、この枠状突起部３０は、図２３に示すように、下部ケース３の外周に沿って枠状に連続した状態で一体に形成されている。
【００７５】
この場合、枠状突起部３０は、軟質部材１６に食い込み易い形状に形成されている。すなわち、この枠状突起部３０は、先端部（図２３では上端部）が先細形状で、且つ先端面が円弧面３０ａに形成され、この円弧面３０ａが軟質部材１６に傷を付けずに食い込むように構成されている。また、この枠状突起部３０は、その枠状の周囲に沿う方向に対して直交する方向の幅が、軟質部材１６の周囲に沿う方向に対して直交する方向の幅よりも十分に狭く形成されている。
【００７６】
このような携帯端末機によれば、上部ケース２の周縁部に設けられた接合部３１と下部ケース３の周縁部に設けられた接合部３２とにおいて、上部ケース２の接合部３１にクッション性を有する枠状の軟質部材１６を設けると共に、下部ケース３の接合部３２に、軟質部材１６よりも硬質の材料からなり、且つ軟質部材１６に食い込み可能に当接する枠状突起部３０を一体に形成したので、上部ケース２と下部ケース３との両者の密閉性を確保することができる。
【００７７】
すなわち、この携帯端末機においても、上部ケース２と下部ケース３とを接合する際に、その両者の接合部分における上部ケース２の接合部３１に設けられたクッション性を有する軟質部材１６に、下部ケース３の接合部３２に一体に形成された枠状突起部３０が食い込むように当接するので、実施形態１よりも簡単な構造で、上部ケース２と下部ケース３との両者を密閉することができ、これにより水滴の侵入や塵埃の侵入を防ぐことができるので、防滴性および防塵性を確保することができる。
【００７８】
この場合にも、上部ケース２と下部ケース３とが不均一な力で押え付けられても、その不均一な力に応じて軟質部材１６に対する枠状突起部３０の食い込み量を変化させることができる。このため、上部ケース２と下部ケース３とが不均一な力で押え付けられても、軟質部材１６に枠状突起部３０を食い込ませて上部ケース２と下部ケース３との両者の密閉性を確保することができる。
【００７９】
また、軟質部材１６は、上部ケース２の周縁部における当接部３１に設けられたクッション材１６ａと、このクッション材１６ａの表面に設けられてクッション材１６ａと共に変形する保護フィルム１６ｂとを備えた構成であるから、軟質部材１６に枠状突起部３０が押し当てられると、この枠状突起部３０によって軟質部材１６のクッション材１６ａが保護フィルム１６ｂと共に変形し、枠状突起部３０を軟質部材１６に食い込ませることができる。このときにも、枠状突起部３０が軟質部材１６に強く押し当てられても、保護フィルム１６ｂによってクッション材１６ａが破損するのを防ぐことができる。
【００８０】
さらに、枠状突起部３０は、先端部が先細形状で、且つその先端面が円弧面３０ａに形成されているので、枠状突起部３０が軟質部材１６に押し当てられると、その枠状突起部３０がクッション材１６ａを保護フィルム１６ｂと共に変形させることができ、これにより枠状突起部３０を軟質部材１６に確実に且つ良好に食い込ませることができる。このときに、枠状突起部３０が軟質部材１６に強く押し当てられても、枠状突起部３０の先端面が円弧面３０ａに形成されているので、軟質部材１６を破損することなく変形させることができる。
【００８１】
この場合にも、枠状突起部３０は下部ケース３の接合部３２に一体に形成されているので、実施形態２と同様、実施形態１に比べて、部品点数を削減することができ、これにより組み立て作業性の向上を図ることができると共に、構造の簡素化を図ることができ、生産性の高いものを提供することができる。また、この枠状突起部３０は、その枠状の周囲に沿う方向に対して直交する方向の幅が、軟質部材１６の周囲に沿う方向に対して直交する方向の幅よりも十分に狭く形成されているので、枠状突起部３０がその周囲に沿う方向に対して直交する方向に少し位置ずれしても、枠状突起部３０を軟質部材１６に確実に当接させて食い込ませることができる。
【００８２】
なお、上述した実施形態３では、軟質部材１６に食い込み可能な枠状突起部３０を下部ケース３の接合部３２に一体に形成した場合について述べたが、これに限らず、実施形態１で述べたパッキン１７を下部ケース３の接合部３２に設けた構成でも良い。このようなパッキン１７を用いた構成でも、実施形態３とほぼ同様の作用効果を得ることができる。
【００８３】
また、上述した実施形態３では、上部ケース２の接合部３１に軟質部材１６を設け、下部ケース３の接合部３２に枠状突起部３０を一体に設けた場合について述べたが、これに限らず、上部ケース２の接合部３１に枠状突起部３０を一体に設け、下部ケース３の接合部３２に軟質部材１６を設けた構成でも良い。このように構成しても、実施形態３と同様の作用効果がある。
【００８４】
（実施形態４）
次に、図２４および図２５を参照して、この発明を携帯端末機に適用した実施形態４について説明する。この場合にも、図１〜図１９に示された実施形態１と同一部分に同一符号を付して説明する。
この携帯端末機は、図２５に示すように、機器本体１の上部ケース２に設けられた表示用開口部９と、入力表示パネル７とが接合する接合部分に、クッション性を有する軟質部材１６と、この軟質部材１６よりも硬質のパッキン３５とを設けた構成であり、これ以外は実施形態１とほぼ同じ構成になっている。
【００８５】
すなわち、入力表示パネル７の上面における周縁部には、図２４および図２５に示すように、軟質部材１６が設けられている。この軟質部材１６は、入力表示パネル７の上面における周縁部に接着によって設けられたシート状のクッション材１６ａと、このクッション材１６ａの表面に設けられてクッション材１６ａと共に変形する保護フィルム１６ｂとを備えた２層構造になっている。
【００８６】
この場合にも、クッション材１６ａは、実施形態１と同様、発泡ウレタンなどのクッション性の高い合成樹脂で形成されている。保護フィルム１６ｂは、ポリエチレンテレフタレート（ＰＥＴ）などの摩擦抵抗が低く潤滑性の高い合成樹脂からなり、その厚みがクッション材１６ａよりも十分に薄く形成されている。
【００８７】
また、上部ケース３の表示用開口部９における周縁部の内面（図２５では下面）には、パッキン３５が設けられている。このパッキン３５は、実施形態１と同様、軟質部材１６よりも硬質のゴムまたはエラストマなどの合成樹脂からなり、図２５に示すように、軟質部材１６に食い込み易い形状に形成されている。すなわち、このパッキン３５は、上部ケース３の表示用開口部９における周縁部の内面（図２５では下面）に固定される固定部３５ａと、この固定部３５ａに一体に形成された突起部３５ｂとからなっている。
【００８８】
この突起部３５ｂは、図２５に示すように、先端部（図２５では上端部）が先細形状で、且つ先端面が円弧面３５ｃ形成され、この円弧面３５ｃが軟質部材１６に傷を付けずに食い込むように構成されている。この場合、突起部３５ｂは、その枠状の周囲に沿う方向に対して直交する方向の幅が、軟質部材１６の周囲に沿う方向に対して直交する方向の幅よりも十分に狭く形成されている。
【００８９】
このような携帯端末機によれば、上部ケース２の表示用開口部９の周縁部と入力表示パネル７の周縁部とが接合する接合部分において、入力表示パネル７の周縁部にクッション性を有する枠状の軟質部材１６を設けると共に、上部ケース２の表示用開口部９の周縁部に、軟質部材１６よりも硬質の材料からなり、且つ軟質部材１６に食い込み可能に当接するパッキン３５を設けたので、実施形態１と同様、上部ケース２の表示用開口部９と入力表示パネル７との両者の密閉性を確保することができる。
【００９０】
すなわち、この携帯端末機においても、上部ケース２の表示用開口部９に入力表示パネル７を取り付ける際に、入力表示パネル７の周縁部に設けられたクッション性を有する軟質部材１６に、上部ケース２における表示用開口部９の周縁部に設けられたパッキン３５が食い込むように当接するので、実施形態１と同様、上部ケース２の表示用開口部９と入力表示パネル７との両者を密閉することができ、これにより水滴の侵入や塵埃の侵入を防ぐことができるので、防滴性および防塵性を確保することができる。
【００９１】
この場合にも、上部ケース２の表示用開口部９の周縁部に対して入力表示パネル７の周縁部が不均一な力で押え付けられても、その不均一な力に応じて軟質部材１６に対するパッキン３５の食い込み量を変化させることができる。このため、上部ケース２の表示用開口部９の周縁部に対して入力表示パネル７の周縁部が不均一な力で押え付けられても、軟質部材１６にパッキン３５を食い込ませて上部ケース２の表示用開口部９の周縁部と入力表示パネル７の周縁部との両者の密閉性を確保することができる。
【００９２】
また、軟質部材１６は、入力表示パネル７の周縁部に設けられたクッション材１６ａと、このクッション材１６ａの表面に設けられてクッション材１６ａと共に変形する保護フィルム１６ｂとを備えた構成であるから、軟質部材１６にパッキン３５が押し当てられると、このパッキン３５によって軟質部材１６のクッション材１６ａが保護フィルム１６ｂと共に変形し、パッキン３５の先端面３５ａを軟質部材１６に食い込ませることができる。このときにも、パッキン３５の先端面３５ａが軟質部材１６に強く押し当てられても、保護フィルム１６ｂによってクッション材１６ａが破損するのを防ぐことができる。
【００９３】
さらに、パッキン３５は、上部ケース３の表示用開口部９における周縁部の上面に接着される固定部３５ａと、この固定部３５ａに一体に形成された突起部３５ｂとからなり、この突起部３５ｂの先端部が先細形状で、且つその先端面が円弧面３５ｃに形成されているので、突起部３５ｂが軟質部材１６に押し当てられると、その突起部３５ｂがクッション材１６ａを保護フィルム１６ｂと共に変形させることができ、これにより突起部３５ｂを軟質部材１６に確実に且つ良好に食い込ませることができる。このときにも、突起部３５ｂが軟質部材１６に強く押し当てられても、突起部３５ｂの先端面が円弧面３５ｃに形成されているので、軟質部材１６を破損することなく変形させることができる。
【００９４】
なお、上述した実施形態４では、上部ケース２における表示用開口部９の周縁部にパッキン３５を設けた場合について述べたが、これに限らず、例えば実施形態２、３で述べたように、上部ケース２における表示用開口部９の周縁部に、軟質部材１６に食い込み易い形状の枠状突起部を一体に形成した構成でも良い。このように構成すれば、実施形態２、３と同様、実施形態４に比べて、部品点数を削減することができ、これにより組み立て作業性の向上を図ることができると共に、構造の簡素化を図ることができ、生産性の高いものを提供することができる。
【００９５】
また、上述した実施形態１〜４およびその各変形例では、機器本体１における上部ケース２の表示用開口部９に、透明なタッチパネル７ａと表示パネル７ｂとを重ね合わせた入力表示パネル７を対応させて配置した場合について述べたが、必ずしもタッチパネル７ａを有する入力表示パネル７である必要はなく、情報を電気光学的に表示する平面型の表示パネル７ｂのみを対応させて配置した構成でも良い。
【００９６】
さらに、上述した実施形態１〜４およびその各変形例では、携帯端末機に適用した場合について述べたが、必ずしも携帯端末機である必要はなく、携帯電話機、電子辞書などの携帯型の電子機器にも適用することができるほか、必ずしも携帯型の電子機器である必要はなく、パーソナルコンピュータなどの電子機器にも広く適用することができる。
【符号の説明】
【００９７】
１  機器本体
２  上部ケース
３  下部ケース
４  モジュール
５  電池
７  入力表示パネル
９  表示用開口部
１４  電池用開口部
１４ａ  第１傾斜部
１４ｂ  第２傾斜部
１５  電池蓋
１５ａ  第１傾斜部
１５ｂ  第２傾斜部
１６  軟質部材
１６ａ  クッション材
１６ｂ  保護フィルム
１７、３５  パッキン
１７ａ、３５ａ  固定部
１７ｂ、３５ｂ  突起部
１８  係止部
１９  フック部
２０  押え部材
２１  レバー部
２１ａ  押え突起部
２６  係合凹部
２８、３０  枠状突起部
２８ａ、３０ａ、３５ｃ  円弧面
【図１】
2011061361.tif 000003
【図２】
2011061361.tif 000004
【図３】
2011061361.tif 000005
【図４】
2011061361.tif 000006
【図５】
2011061361.tif 000007
【図６】
2011061361.tif 000008
【図７】
2011061361.tif 000009
【図８】
2011061361.tif 000010
【図９】
2011061361.tif 000011
【図１０】
2011061361.tif 000012
【図１１】
2011061361.tif 000013
【図１２】
2011061361.tif 000014
【図１３】
2011061361.tif 000015
【図１４】
2011061361.tif 000016
【図１５】
2011061361.tif 000017
【図１６】
2011061361.tif 000018
【図１７】
2011061361.tif 000019
【図１８】
2011061361.tif 000020
【図１９】
2011061361.tif 000021
【図２０】
2011061361.tif 000022
【図２１】
2011061361.tif 000023
【図２２】
2011061361.tif 000024
【図２３】
2011061361.tif 000025
【図２４】
2011061361.tif 000026
【図２５】
2011061361.tif 000027